(57)【要約】【課題】タッチ動作と表示動作とを円滑に連携することのできる駆動装置、タッチ検出機能付き表示装置及び情報処理装置を提供する。【解決手段】駆動電極と、駆動電極と交差するように配置された検知電極と、駆動電極にタッチ駆動信号を順次印加し、表示信号を生成して表示素子に順次出力するディスプレイドライバ（ＤＤＩ）と、検知電極の検出信号からタッチ情報を取得するタッチドライバ（ＴＰＩＣ）と、を有し、ディスプレイドライバは、外部に出力したマスタ同期信号（ＴＥ）に応じて入力される映像信号を取得し、映像信号の入力から所定時間経過後にタッチドライバに対してタッチ同期信号（ＴＳＶＤ）を出力し、タッチドライバは、ディスプレイドライバからのタッチ同期信号によって動作を開始してタッチ情報を取得し、映像信号の生成を開始させるためにタッチ情報を外部に出力する駆動装置。【選択図】図６
2016004476.tif 000002
【特許請求の範囲】
【請求項１】
一方向に延在するように並設された複数の駆動電極と、
前記駆動電極の延在方向と直交する方向に延在し、その交差部分に静電容量を形成するように配置された検知電極と、
前記駆動電極に対して外部近接物体を検知するためのタッチ駆動信号を順次印加するタッチ走査駆動と、外部から入力される映像信号から表示素子に表示させるための表示信号を生成して順次出力する表示走査駆動とを実行するディスプレイドライバと、
前記検知電極の検出信号をサンプリングすることにより外部近接物体の検知情報を含むタッチ情報を取得するタッチドライバと、を有し、
前記ディスプレイドライバは、外部に出力したマスタ同期信号（ＴＥ）に応じて入力される前記映像信号を取得し、前記映像信号の入力から所定時間経過後に前記タッチドライバに対してタッチ同期信号（ＴＳＶＤ）を出力し、
前記タッチドライバは、前記ディスプレイドライバからのタッチ同期信号（ＴＳＶＤ）によって動作を開始して前記タッチ情報を取得し、前記映像信号の生成を開始させるために前記タッチ情報を外部に出力する駆動装置。
【請求項２】
一方向に延在するように並設された複数の駆動電極と、
前記駆動電極の延在方向と直交する方向に延在し、その交差部分に静電容量を形成するように配置された検知電極と、
前記駆動電極に対して外部近接物体を検知するためのタッチ駆動信号を順次印加するタッチ走査駆動と、外部から入力される映像信号から表示素子に表示させるための表示信号を生成して順次出力する表示走査駆動とを実行するディスプレイドライバと、
前記検知電極の検出信号をサンプリングすることにより外部近接物体の検知情報を含むタッチ情報を取得するタッチドライバと、を有し、
前記ディスプレイドライバは、外部から表示同期信号（ＶＤ）が入力される際、前記映像信号から表示信号を生成して表示素子に出力し、前記表示同期信号（ＶＤ）の入力から所定時間経過後に前記タッチドライバに対してタッチ同期信号（ＴＳＶＤ）を出力し、
前記タッチドライバは、前記ディスプレイドライバからのタッチ同期信号（ＴＳＶＤ）によって動作を開始して前記タッチ情報を取得し、前記映像信号の生成を開始させるために前記タッチ情報を外部に出力する駆動装置。
【請求項３】
前記ディスプレイドライバは、前記外部近接物体を検知するためのパルス波形を有するタッチ駆動信号（ＴＳＶＣＯＭ）を印加することによりタッチ走査駆動を行い、
前記タッチドライバは、前記タッチ同期信号（ＴＳＶＤ）を含む信号を授受して、前記タッチ駆動信号（ＴＳＶＣＯＭ）を形成するための駆動同期信号（ＥＸＶＣＯＭ）を前記ディスプレイドライバに出力し、前記検知電極の検出信号を前記タッチ駆動信号（ＴＳＶＣＯＭ）のパルス波形に対応したタイミングでサンプリングすることにより外部近接物体を検知する
請求項１又は２に記載の駆動装置。
【請求項４】
請求項１乃至３の内のいずれか１項に記載の駆動装置と、
前記表示信号に基づいて表示を行う表示画素と、を有し、
前記ディスプレイドライバは、複数の前記表示画素に対して前記表示信号を順次印加する前記表示走査駆動と前記タッチ走査駆動とを時分割的に交互に繰り返して実行する、タッチ検出機能付き表示装置。
【請求項５】
請求項１に記載の駆動装置と、
情報を処理するプロセッサと、を有し、
前記プロセッサは、前記タッチドライバから入力した前記タッチ情報に基づいて前記映像信号を作成し、前記ディスプレイドライバから入力したマスタ同期信号（ＴＥ）に対応して作成済みの前記映像信号を前記ディスプレイドライバに出力する情報処理装置。
【請求項６】
請求項２に記載の駆動装置と、
情報を処理するプロセッサと、を有し、
前記プロセッサは、前記タッチドライバから入力した前記タッチ情報に基づいて前記映像信号を作成し、この映像信号作成後、作成済みの前記映像信号と表示同期信号（ＶＤ）とを前記ディスプレイドライバに出力する情報処理装置。
【発明の詳細な説明】
【技術分野】
【０００１】
本発明の実施形態は、駆動装置、タッチ検出機能付き表示装置及び情報処理装置に関する。
【背景技術】
【０００２】
近年、いわゆるタッチパネルと呼ばれるタッチ検出装置を液晶表示装置などの表示装置上に装着し、あるいはタッチパネルと表示装置を一体化し、その表示装置に各種のボタン画像等を表示させることにより、通常の機械式ボタンの代わりとして情報入力を可能とした表示装置が注目されている。このようなタッチ検出機能を有する表示装置は、キーボード、マウス、キーパッドのような入力装置を必要としないため、コンピュータのほか、携帯電話のような携帯情報端末などでも、使用が拡大する傾向にある。
【０００３】
タッチパネルの方式としては、一方向に延伸する複数の電極を互いに交差するように配置した静電容量式のタッチパネルが知られている。このタッチパネルでは、各電極は、それぞれ制御回路と接続され、制御回路から励磁電流を供給することにより、外部近接物体を検出するようになされている。
【０００４】
タッチ検出機能付表示装置としては、表示装置の表示面上にタッチパネルを形成した、いわゆるオンセルタイプの表示装置の他に、表示装置にもともと備えられている表示用の共通電極を、一対のタッチセンサ用電極のうちの一方として兼用し、他方の電極（タッチ検知電極）をこの共通電極と交差するように配置した、いわゆるインセルタイプの表示装置が提案されている。
【０００５】
特許文献１には、タッチセンサ用駆動電極を所定の複数本ずつ時分割的に順次選択し、その選択された駆動電極に対してタッチ検出駆動信号を印加して、走査ピッチが選択された複数本の駆動対象電極の全幅よりも小さくなるように走査駆動（以下、「束ね駆動」という。）を行うタッチ検出機能付表示装置が開示されている。
【先行技術文献】
【特許文献】
【０００６】
【特許文献１】特開２０１２−６８９８０号公報
【発明の概要】
【発明が解決しようとする課題】
【０００７】
ところで、上述の束ね駆動は表示動作と同期する必要もあることから、上記タッチ検出機能付表示装置では、主にタッチ動作を制御するタッチドライバ（ＴＰＩＣ）と表示動作を制御するディスプレイドライバ（ＤＤＩ）とが協働してタッチ駆動制御と表示制御とを実行するように構成されている。更に、タッチドライバＴＰＩＣとディスプレイドライバＤＤＩは、外部に設けられるプロセッサＨＯＳＴと協働することによって情報処理装置を構成している。
【０００８】
ところで、タッチドライバＴＰＩＣ、ディスプレイドライバＤＤＩ、及びプロセッサＨＯＳＴは、それぞれ自身に設けられた基準周波数発信器のクロックに同期して動作するように構成されている。即ち、タッチドライバＴＰＩＣ、ディスプレイドライバＤＤＩ、及びプロセッサＨＯＳＴの動作は、本質的には相互に非同期の動作である。そのため、タッチ動作と表示動作との連携動作が円滑になされていない状況が生じていた。
【０００９】
本発明は、斯かる事情に鑑みてなされたものであって、タッチ動作と表示動作とを円滑に連携することのできる駆動装置、タッチ検出機能付き表示装置及び情報処理装置を提供することを目的とする。
【課題を解決するための手段】
【００１０】
一実施形態に係る駆動装置は、一方向に延在するように並設された複数の駆動電極と、前記駆動電極の延在方向と直交する方向に延在し、その交差部分に静電容量を形成するように配置された検知電極と、前記駆動電極に対して外部近接物体を検知するためのタッチ駆動信号を順次印加するタッチ走査駆動と、外部から入力される映像信号から表示素子に表示させるための表示信号を生成して順次出力する表示走査駆動とを実行するディスプレイドライバと、前記検知電極の検出信号をサンプリングすることにより外部近接物体の検知情報を含むタッチ情報を取得するタッチドライバと、を有し、前記ディスプレイドライバは、外部に出力したマスタ同期信号（ＴＥ）に応じて入力される前記映像信号を取得し、前記映像信号の入力から所定時間経過後に前記タッチドライバに対してタッチ同期信号（ＴＳＶＤ）を出力し、前記タッチドライバは、前記ディスプレイドライバからのタッチ同期信号（ＴＳＶＤ）によって動作を開始して前記タッチ情報を取得し、前記映像信号の生成を開始させるために前記タッチ情報を外部に出力する。
【図面の簡単な説明】
【００１１】
【図１】第１の実施の形態のタッチ検出機能付き表示装置における表示装置の概略の構成を示す図である。
【図２】第１の実施の形態のタッチ検出機能付き表示装置の構造をより詳細に示す断面図である。
【図３】第１の実施の形態のタッチ検出機能付き表示装置のミューチャル検出方式の代表的な基本構成を示す図である。
【図４】第１の実施の形態のタッチ検出機能付き表示装置のセンサの概略の構成を示す図である。
【図５】第１の実施の形態のタッチ検出機能付き表示装置のミューチャル検出方式の駆動方法を説明するための図である。
【図６】第１の実施の形態のタッチ検出機能付き表示装置のミューチャル検出方式の駆動信号線の接続を説明するための図である。
【図７】第１の実施の形態のタッチ検出機能付き表示装置とプロセッサとの間の主たる授受信号を示す図である。
【図８】第１の実施の形態のタッチ検出機能付き表示装置とプロセッサとの間の主たる信号授受フローを示すタイムチャートである。
【図９】第２の実施の形態のタッチ検出機能付き表示装置とプロセッサとの間の主たる授受信号を示す図である。
【図１０】第２の実施の形態のタッチ検出機能付き表示装置とプロセッサとの間の主たる信号授受フローを示すタイムチャートである。
【図１１】第１及び第２の実施の形態のタッチ検出機能付き表示装置とプロセッサとの間の同期駆動の効果を説明するための図である。
【発明を実施するための形態】
【００１２】
以下に、本発明の各実施の形態について、図面を参照しつつ説明する。  
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１３】
[第１の実施の形態]  
図１は、第１の実施の形態のタッチ検出機能付き表示装置ＤＳＰにおける表示装置の概略の構成を示す図である。なお、本実施の形態において、表示装置は液晶表示装置である。また、本願の「タッチ検出」は、指などがタッチパネルに接触したことを検知する意味の他、指などがタッチパネルに近接したことを検知する意味も含む用語として用いられる。
【００１４】
表示装置は、表示パネルＰＮＬと、表示パネルＰＮＬを背面側から照明するバックライトＢＬＴと、を備えている。そして表示パネルＰＮＬには、マトリクス状に配置された表示画素ＰＸを含む表示部が設けられている。
【００１５】
図１に示すように、表示部においては、複数の表示画素ＰＸが配列する行に沿って延びる走査線Ｇ（Ｇ１、Ｇ２…）と、複数の表示画素ＰＸが配列する列に沿って延びる信号線Ｓ（Ｓ１、Ｓ２…）と、走査線Ｇと信号線Ｓが交差する位置近傍に配置された画素スイッチＳＷとが備えられている。
【００１６】
画素スイッチＳＷは薄膜トランジスタ（ＴＦＴ：Ｔｈｉｎ  Ｆｉｌｍ  Ｔｒａｎｓｉｓｔｏｒ）を備えている。画素スイッチＳＷのゲート電極は対応する走査線Ｇと電気的に接続されている。画素スイッチＳＷのソース電極は対応する信号線Ｓと電気的に接続されている。画素スイッチＳＷのドレイン電極は対応する画素電極ＰＥと電気的に接続されている。
【００１７】
また、複数の表示画素ＰＸを駆動する駆動手段として、ゲートドライバＧＤ（左側ＧＤ−Ｌおよび右側ＧＤ−Ｒ）とソースドライバＳＤとが設けられている。複数の走査線ＧはゲートドライバＧＤの出力端子と電気的に接続されている。複数の信号線ＳはソースドライバＳＤの出力端子と電気的に接続されている。
【００１８】
ゲートドライバＧＤとソースドライバＳＤとは、表示部の周囲の領域（額縁）に配置されている。ゲートドライバＧＤは複数の走査線Ｇにオン電圧を順次印加して、選択された走査線Ｇに電気的に接続された画素スイッチＳＷのゲート電極にオン電圧を供給する。ゲート電極にオン電圧が供給された画素スイッチＳＷの、ソース電極−ドレイン電極間が導通する。ソースドライバＳＤは、複数の信号線Ｓのそれぞれに対応する出力信号を供給する。信号線Ｓに供給された信号は、ソース電極−ドレイン電極間が導通した画素スイッチＳＷを介して対応する画素電極ＰＥに印加される。
【００１９】
ゲートドライバＧＤとソースドライバＳＤとは、表示パネルＰＮＬの外部に配置された制御回路ＣＴＲにより動作を制御される。また制御回路ＣＴＲは、後述する共通電極ＣＯＭＥに共通電圧Ｖｃｏｍを供給している。さらに制御回路ＣＴＲは、バックライトＢＬＴの動作を制御する。
【００２０】
図２は、第１の実施の形態のタッチ検出機能付き表示装置ＤＳＰの構造をより詳細に示す断面図である。
【００２１】
タッチ検出機能付き表示装置ＤＳＰは、表示パネルＰＮＬ、バックライトＢＬ、第１光学素子ＯＤ１及び第２光学素子ＯＤ２を備えている。図示した例では、表示パネルＰＮＬは、液晶表示パネルであるが、有機エレクトロルミネッセンス表示パネルなどの他のフラットパネルであっても良い。また、図示した表示パネルＰＮＬは、表示モードとしてＦＦＳ（Ｆｒｉｎｇｅ  Ｆｉｅｌｄ  Ｓｗｉｔｃｈｉｎｇ）モードに対応した構成を有しているが、他の表示モードに対応した構成を有していても良い。
【００２２】
表示パネルＰＮＬは、第１基板ＳＵＢ１、第２基板ＳＵＢ２、及び、液晶層ＬＱを備えている。第１基板ＳＵＢ１と第２基板ＳＵＢ２とは所定のセルギャップを形成した状態で貼り合わされている。液晶層ＬＱは、第１基板ＳＵＢ１と第２基板ＳＵＢ２との間のセルギャップに保持されている。
【００２３】
第１基板ＳＵＢ１は、ガラス基板や樹脂基板などの光透過性を有する第１絶縁基板１０を用いて形成されている。第１基板ＳＵＢ１は、第１絶縁基板１０の第２基板ＳＵＢ２に対向する側に、ソース線Ｓ、共通電極ＣＯＭＥ、画素電極ＰＥ、第１絶縁膜１１、第２絶縁膜１２、第３絶縁膜１３、第１配向膜ＡＬ１などを備えている。  
ここで、画素電極ＰＥ及び共通電極ＣＯＭＥは、これら電極間に配置される液晶層の画素領域とともに表示画素を構成し、表示画素は表示パネルＰＮＬにマトリクス状に配置されている。
【００２４】
第１絶縁膜１１は、第１絶縁基板１０の上に配置されている。なお、詳述しないが、第１絶縁基板１０と第１絶縁膜１１との間には、ゲート線Ｇ、スイッチング素子のゲート電極や半導体層などが配置されている。ソース線Ｓは、第１絶縁膜１１の上に形成されている。また、スイッチング素子のソース電極やドレイン電極なども第１絶縁膜１１の上に形成されている。図示した例では、ソース線Ｓは、共通電極ＣＯＭＥと平行して第２方向Ｙに延出している。
【００２５】
第２絶縁膜１２は、ソース線Ｓ及び第１絶縁膜１１の上に配置されている。共通電極ＣＯＭＥは、第２絶縁膜１２の上に形成されている。図示した例では、共通電極ＣＯＭＥは、複数のセグメントによって構成されている。共通電極ＣＯＭＥの各セグメントは、それぞれ第２方向Ｙに延出し、間隔をおいて第１方向Ｘに並んでいる。このような共通電極ＣＯＭＥは、インジウム錫酸化物（Indium Tin Oxide：ＩＴＯ）やインジウム亜鉛酸化物（Indium Zinc Oxide：ＩＺＯ）などの透明な導電材料によって形成されている。なお、図示した例では、共通電極ＣＯＭＥの上に金属層ＭＬが形成され、共通電極ＣＯＭＥを低抵抗化しているが、金属層ＭＬは省略しても良い。
【００２６】
第３絶縁膜１３は、共通電極ＣＯＭＥ及び第２絶縁膜１２の上に配置されている。画素電極ＰＥは、第３絶縁膜１３の上に形成されている。各画素電極ＰＥは、隣接するソース線Ｓの間にそれぞれ位置し、共通電極ＣＯＭＥと対向している。また、各画素電極ＰＥは、共通電極ＣＯＭＥと対向する位置にスリットＳＬを有している。このような画素電極ＰＥは、例えば、ＩＴＯやＩＺＯなどの透明な導電材料によって形成されている。第１配向膜ＡＬ１は、画素電極ＰＥ及び第３絶縁膜１３を覆っている。
【００２７】
一方、第２基板ＳＵＢ２は、ガラス基板や樹脂基板などの光透過性を有する第２絶縁基板１５を用いて形成されている。第２基板ＳＵＢ２は、第２絶縁基板１５の第１基板ＳＵＢ１に対向する側に、ブラックマトリクスＢＭ、カラーフィルタＣＦＲ、ＣＦＧ、ＣＦＢ、オーバーコート層ＯＣ、第２配向膜ＡＬ２などを備えている。
【００２８】
ブラックマトリクスＢＭは、第２絶縁基板１５の内面に形成され、各画素を区画している。カラーフィルタＣＦＲ、ＣＦＧ、ＣＦＢは、それぞれ第２絶縁基板１５の内面に形成され、それらの一部がブラックマトリクスＢＭに重なっている。カラーフィルタＣＦＲは赤色カラーフィルタであり、カラーフィルタＣＦＧは緑色カラーフィルタであり、カラーフィルタＣＦＢは青色カラーフィルタである。オーバーコート層ＯＣは、カラーフィルタＣＦＲ、ＣＦＧ、ＣＦＢを覆っている。オーバーコート層ＯＣは、透明な樹脂材料によって形成されている。第２配向膜ＡＬ２は、オーバーコート層ＯＣを覆っている。
【００２９】
検知電極ＤＥＴＥは、第２絶縁基板１５の外面に形成されている。この検知電極ＤＥＴＥは、島状に形成されているが、ここでは、簡略化して図示しており、リード線の図示を省略している。検知電極ＤＥＴＥの詳細な構造については後述する。このような検知電極ＤＥＴＥは、例えば、ＩＴＯやＩＺＯなどの透明な導電材料によって形成されている。
【００３０】
バックライトＢＬは、表示パネルＰＮＬの背面側に配置されている。バックライトＢＬとしては、種々の形態が適用可能であり、光源として発光ダイオード（ＬＥＤ）を利用したものや冷陰極管（ＣＣＦＬ）を利用したものなどのいずれでも適用可能であるが、詳細な構造については説明を省略する。
【００３１】
第１光学素子ＯＤ１は、第１絶縁基板１０とバックライトＢＬとの間に配置されている。第２光学素子ＯＤ２は、検知電極ＤＥＴＥの上に配置されている。第１光学素子ＯＤ１及び第２光学素子ＯＤ２は、それぞれ少なくとも偏光板を含んでおり、必要に応じて位相差板を含んでいても良い。
【００３２】
続いて、第１の実施の形態のタッチ検出機能付き表示装置ＤＳＰに用いられるタッチセンサについて説明する。タッチパネルに対して利用者の指或いはペンが触れていること、或いは近接していることを検出する方式として、自己容量方式（ミューチャル(Mutual)検出方式ともいう）の原理を説明する。
【００３３】
図３は、第１の実施の形態のタッチ検出機能付き表示装置ＤＳＰのミューチャル検出方式の代表的な基本構成を示す図である。共通電極ＣＯＭＥと検知電極ＤＥＴＥとが利用される。共通電極ＣＯＭＥは、複数のストライプ状共通電極Ｃｏｍｅ１，Ｃｏｍｅ２，Ｃｏｍｅ３・・・・を含む。この複数のストライプ状共通電極Ｃｏｍｅ１，Ｃｏｍｅ２，Ｃｏｍｅ３・・・・が走査（駆動）方向（Ｙ方向またはＸ方向）に配列されている。
【００３４】
一方、検知電極ＤＥＴＥは、複数のストライプ状検知電極Ｄｅｔｅ１，Ｄｅｔｅ２，Ｄｅｔｅ３，・・・・を含む。当該ストライプ状検知電極は、ストライプ状共通電極よりも細くてもよい。この複数のストライプ状検知電極Ｄｅｔｅ１，Ｄｅｔｅ２，Ｄｅｔｅ３，・・・・は、ストライプ状共通電極Ｃｏｍｅ１，Ｃｏｍｅ２，Ｃｏｍｅ３・・・・と直交する方向（Ｘ方向またはＹ方向）に配列されている。
【００３５】
共通電極ＣＯＭＥと検知電極ＤＥＴＥは、間隔を置いて配置される。このために、複数のストライプ状共通電極Ｃｏｍｅ１，Ｃｏｍｅ２，Ｃｏｍｅ３・・・・と、複数のストライプ状検知電極Ｄｅｔｅ１，Ｄｅｔｅ２，Ｄｅｔｅ３，・・・・との間には、基本的に容量Ｃｃが存在する。
【００３６】
複数のストライプ状共通電極Ｃｏｍｅ１，Ｃｏｍｅ２，Ｃｏｍｅ３・・・・は所定の周期で駆動パルスＴＳＶＣＯＭにより走査される。今、ユーザの指がストライプ状検知電極Ｄｅｔｅ２に近接して存在するものとする。すると、ストライプ状共通電極Ｃｏｍｅ２に駆動パルスＴＳＶＣＯＭが供給されたときに、ストライプ状検知電極Ｄｅｔｅ２からは、他のストライプ状検知電極から得られるパルスよりもレベルの低いパルスが得られる。これは、指により容量Ｃｘが生じ、これが容量Ｃｃに加えられるからである。ミューチャル検出では、この検出レベルの低いパルスを、ポジションＤＥＴＰの検出パルスとして取り扱うことができる。
【００３７】
上記の容量Ｃｘは、ユーザの指が検知電極ＤＥＴＥに近い場合と、遠い場合とで異なる。このために検出パルスのレベルもユーザの指が検知電極ＤＥＴＥに近い場合と、遠い場合とで異なる。よって、タッチパネルの平面に対する指の近接度を検出パルスのレベルで判断することができる。勿論、駆動パルスＴＳＶＣＯＭによる電極駆動タイミングと、検出パルスの出力タイミングにより、タッチパネルの平面上の指の２次元上の位置を検出することができる。
【００３８】
図４は、第１の実施の形態のタッチ検出機能付き表示装置ＤＳＰのセンサの概略の構成を示す図である。図４（１）はタッチ検出機能付き表示装置ＤＳＰの断面図を示し、図４（２）はセンサの構成を示す平面図を示している。
【００３９】
図４（１）に示すように、タッチ検出機能付き表示装置ＤＳＰは、第１基板ＳＵＢ１と、第２基板ＳＵＢ２と、第１基板ＳＵＢ１と第２基板ＳＵＢ２との間に保持された液晶層ＬＱと、を備えている。
【００４０】
第１基板ＳＵＢ１は、ＴＦＴ基板１９と、共通電極ＣＯＭＥと、を備えている。ＴＦＴ基板１９は、ガラス等の透明絶縁基板と、図示しないスイッチング素子と、ソース配線やゲート配線等の各種配線と、これらを覆う絶縁膜である平坦化層と、を備えている。共通電極ＣＯＭＥは、ＴＦＴ基板１９上に配置され絶縁層に覆われている。共通電極ＣＯＭＥは、例えば、第１方向に延びるとともに第１方向に直交する第２方向に複数並んだストライプ状に配置されている。共通電極ＣＯＭＥは、例えばＩＴＯやＩＺＯ等の透明電極材料によって形成されている。本実施形態では、共通電極ＣＯＭＥは、センサ用駆動電極としても用いられる。
【００４１】
第２基板ＳＵＢ２は、ガラス等の透明絶縁基板１５と、カラーフィルタＣＦと、検知電極ＤＥＴＥと、偏光板ＰＬと、を備えている。カラーフィルタＣＦは、透明絶縁基板１５上に配置されている。カラーフィルタＣＦは、オーバーコート層ＯＣに覆われている。検知電極ＤＥＴＥは、透明絶縁基板１５の外側（カラーフィルタＣＦと反対側）の主面に配置されている。検知電極ＤＥＴＥは、共通電極ＣＯＭＥが延びた方向（第１方向）と略直交する方向（第２方向）に延びるとともに、第１方向に複数並んだストライプ状に配置されている。検知電極ＤＥＴＥは、例えばＩＴＯやＩＺＯ等の透明電極材料によって形成されている。偏光板ＰＬは、検知電極ＤＥＴＥ上（透明絶縁基板１５のカラーフィルタＣＦと反対側）に配置されている。
【００４２】
図４（２）は、上述の共通電極ＣＯＭＥと検知電極ＤＥＴＥとの一構成例を説明するための図である。第１の実施の形態のタッチ検出機能付き表示装置ＤＳＰでは、タッチドライバＴＰＩＣとディスプレイドライバＤＤＩとが協働することにより、共通電極ＣＯＭＥには駆動パルスＴＳＶＣＯＭが入力され、検知電極ＤＥＴＥから検出パルスが得られる。ディスプレイドライバＤＤＩは駆動パルスＴＳＶＣＯＭを出力し、タッチドライバＴＰＩＣは、駆動パルスＴＳＶＣＯＭを入力した共通電極ＣＯＭＥの位置と、検出パルスの波形とから指の接触位置を把握する。ここで、タッチ位置の算出は、不図示の外部装置が行うように構成することができる。なお、ディスプレイドライバＤＤＩから出力される信号の詳細、及びディスプレイドライバＤＤＩとタッチドライバＴＰＩＣとの授受信号の詳細については後述する。
【００４３】
図５は、第１の実施の形態のタッチ検出機能付き表示装置ＤＳＰのミューチャル検出方式の駆動方法を説明するための図である。
【００４４】
図５（１）には、共通電極ＣＯＭＥの駆動単位Ｔｘを示している。駆動単位Ｔｘ１、・・・ＴｘＮはそれぞれ連続する複数のストライプ状共通電極Ｃｏｍｅで構成されている。なお、駆動単位Ｔｘ１、・・・ＴｘＮのそれぞれは、複数のストライプ状共通電極Ｃｏｍｅ１，Ｃｏｍｅ２，Ｃｏｍｅ３・・・・のうち、数本をまとめたものに対応してもよい。あるいは、駆動単位Ｔｘ１、・・・ＴｘＮのそれぞれが、数のストライプ状共通電極Ｃｏｍｅ１，Ｃｏｍｅ２，Ｃｏｍｅ３・・・・のそれぞれと対応していてもよい。上述のように、映像表示に使用される共通電極ＣＯＭＥがタッチ位置検知用の駆動電極としても共用されているため、映像表示動作とタッチ位置検知動作とをタイムシェアリングにより駆動する。
【００４５】
図５（２）に示す駆動方式では、１フレーム期間を複数のユニットで構成する。１ユニット内は、映像を表示する期間とタッチ位置を検出する期間とに分割される。分割された映像表示期間と分割されたタッチ位置検出期間とが交互に繰り返されて１フレーム期間が構成される。即ち、ＲＧＢの３色を選択する信号（ＳＥＬＲ／Ｇ／Ｂ）に対応して色毎の表示信号（ＳＩＧｎ）を出力する動作を複数の表示行について実行した後、駆動単位Ｔｘ（複数のストライプ状共通電極Ｃｏｍｅ）に駆動パルスＴＳＶＣＯＭを入力するミューチャル検出動作を実行する。そして、分割された複数の表示行と複数の駆動単位Ｔｘ（Ｔｘ１、・・・、ＴｘＮ）について上述の動作を順次繰り返して実行する。なお、複数の表示行と複数の駆動単位Ｔｘの行は、同一になるように表示とタッチ駆動とを同期して制御しても良く、表示とタッチ駆動とをそれぞれ独立して制御するように構成しても良い。
【００４６】
図６は、第１の実施の形態のタッチ検出機能付き表示装置ＤＳＰのミューチャル検出方式の駆動信号線の接続を説明するための図である。図６は、タッチドライバ（ＴＰＩＣ）とディスプレイドライバ（ＤＤＩ）の２つのＩＣチップで構成される、２チップシステムを示している。このシステムでは、タッチドライバＴＰＩＣとディスプレイドライバＤＤＩとが協働して表示動作とタッチ駆動動作とを実行する。
【００４７】
ＴＦＴ基板１９には、ディスプレイドライバＤＤＩが設けられている。またＴＦＴ基板１９には、シフトレジスタＳＲを含むタッチ駆動回路２０が設けられている。ディスプレイドライバＤＤＩから出力される駆動信号は、タッチ駆動回路２０を介して共通電極ＣＯＭＥに駆動パルスＴＳＶＣＯＭを供給する。第２基板ＳＵＢ２には、検知電極ＤＥＴＥが設けられ、検知電極ＤＥＴＥからのセンサ検知線は、外部引出し用電極を介してタッチドライバＴＰＩＣに電気的に接続している。
【００４８】
そして、タッチドライバＴＰＩＣは、ＦＰＣ（Flexible Print Circuit）を介して外部のプロセッサＨＯＳＴと接続されている。なお、タッチドライバＴＰＩＣとプロセッサＨＯＳＴとの間は、Ｉ２Ｃ（Inter-Integrated Circuit）、ＳＰＩ（Serial Peripheral Interface）などの通信方式により情報の授受が行われる。
【００４９】
次に、タッチドライバＴＰＩＣとディスプレイドライバＤＤＩとの間の授受信号について説明する。
【００５０】
ディスプレイドライバＤＤＩは、タッチドライバＴＰＩＣに同期をとるための信号を出力する。同期のための信号には垂直同期信号ＴＳＶＤ、及び水平同期信号ＴＳＨＤが含まれる。垂直同期信号ＴＳＶＤはフレームの開始を表す同期信号である。水平同期信号ＴＳＨＤはフレーム中の１ライン毎の動作に対応する同期信号である。タッチドライバＴＰＩＣは、水平同期信号ＴＳＨＤに同期して、タッチ検出のためのサンプリングタイミングに正確に同期した駆動同期信号ＥＸＶＣＯＭをディスプレイドライバＤＤＩに出力する。ディスプレイドライバＤＤＩは、駆動同期信号ＥＸＶＣＯＭをレベルシフト及びインピーダンス変換した駆動パルスＴＳＶＣＯＭをタッチ駆動回路２０に出力する。
【００５１】
タッチ駆動回路２０は、シフトレジスタ回路２１、選択回路２２、切替回路２３を備えている。ここで、タッチ駆動回路２０の構成と動作を、一つのシフトレジスタ２１ａとそれに接続する回路を例として説明する。
【００５２】
シフトレジスタ２１ａには、転送回路制御信号として転送スタートパルスＳＤＳＴ、転送クロックＳＤＣＫ１、２が入力される。転送スタートパルスＳＤＳＴは、転送クロックＳＤＣＫ１、２により順次送られて、各段のシフトレジスタから出力される。なお、このシフトレジスタでは２つの転送クロックＳＤＣＫ１、２を用いているが、１つの転送クロックを用いてスタートパルスを転送する方式のシフトレジスタを用いても良い。
【００５３】
シフトレジスタ２１ａの出力端子は、選択回路２２を構成するＡＮＤ回路２２ａの１つの入力端子に接続している。ＡＮＤ回路２２ａの他の入力端子には、駆動同期選択信号ＥＸＶＣＯＭＳＥＬが入力される。駆動同期選択信号ＥＸＶＣＯＭＳＥＬは、タッチ位置検出期間において「１」となり、映像表示期間においては「０」となる信号である。そのため、タッチ位置検出期間であってシフトレジスタ２１ａの出力が「１」となる期間、ＡＮＤ回路２２ａの出力は「１」となり、切替回路２３に設けられたタッチスイッチ２３ａが接続状態（オン状態）に切り替わる。一方、映像表示期間では、ＡＮＤ回路２２ａの出力は「０」となる。このＡＮＤ回路２２ａの出力は選択回路２２を構成するインバータ２２ｂによって「１」となり、切替回路２３に設けられた表示スイッチ２３ｂが接続状態（オン状態）に切り替わる。
【００５４】
従って、タッチ位置検出期間では、対応するシフトレジスタ２１ａの出力が「１」となる期間に共通電極ＣＯＭＥにはタッチスイッチ２３ａを介して駆動パルスＴＳＶＣＯＭが入力される。一方、対応するシフトレジスタ２１ａの出力が「０」となる期間では共通電極ＣＯＭＥにはタッチスイッチ２３ｂを介して直流信号ＶＣＯＭＤＣが入力される。映像表示期間では、表示スイッチ２３ｂを介して共通電極ＣＯＭＥには直流信号ＶＣＯＭＤＣが入力される。
【００５５】
ここで、タッチスイッチ２３ａのパネルＰＮＬ側の一端は、少なくとも一つのストライプ状共通電極Ｃｏｍｅと接続している。このストライプ状共通電極Ｃｏｍｅにパルス列である駆動パルスＴＳＶＣＯＭを入力することによってＳ／Ｎ比の良い検知信号を得ることができる。なお、タッチスイッチ２３ａのパネルＰＮＬ側の一端に接続するストライプ状共通電極の数は固定に限られず、可変に構成されても良い。また、タッチ位置検出期間は、１つのシフトレジスタの出力に接続されたストライプ状共通電極Ｃｏｍｅに限られず、複数のシフトレジスタの出力に接続された複数のストライプ状共通電極Ｃｏｍｅを対象としてタッチ動作を実行する期間でもある。
【００５６】
なお、タッチドライバＴＰＩＣには基準周波数発信器が独立して設けられている。また、ディルプレイドライバＤＤＩには専用の基準周波数発信器が独立して設けられている。従って、タッチの駆動周波数は、表示の駆動周波数と独立した任意の値に設定することができる。
【００５７】
次に、タッチドライバＴＰＩＣ及びディスプレイドライバＤＤＩとプロセッサＨＯＳＴとの間の授受信号について説明する。タッチドライバＴＰＩＣ及びタッチドライバＴＰＩＣとプロセッサＨＯＳＴとの間は、上述のＩ２Ｃ（Inter-Integrated Circuit）、ＳＰＩ（Serial Peripheral Interface）などの通信方式により情報の授受が行われるが、更に、ＦＰＣの端子を介して個別の信号（例えば、ＩＲＱ、ＶＤ、ＴＥなど）が授受される。個別の信号の詳細については後述する。
【００５８】
以上説明したように、タッチドライバＴＰＩＣとディスプレイドライバＤＤＩとが協働してタッチ駆動動作と表示動作を実行する。なお、上述した説明ではタッチ駆動動作について記載したが、ディスプレイドライバＤＤＩは、内部に設けられたタイミングコントローラ（不図示）が出力する制御信号に従って、タッチ駆動動作のみでなく表示駆動動作も実行する。即ち、ディスプレイドライバＤＤＩは、表示素子に表示信号を出力し、また共通電極ＣＯＭＥに表示駆動のための信号を順次出力する。
【００５９】
なお、図６に示すディスプレイドライバＤＤＩ、タッチドライバＴＰＩＣ、タッチ駆動回路２０、共通電極ＣＯＭＥ及び検知電極ＤＥＴＥが駆動装置を構成する。更に、駆動装置と表示パネルＰＮＬとがタッチ検出機能付き表示装置を構成する。
【００６０】
図７は、第１の実施の形態のタッチ検出機能付き表示装置ＤＳＰとプロセッサＨＯＳＴとの間の主たる授受信号を示す図である。第１の実施の形態では、ディスプレイドライバＤＤＩが主導して同期信号を出力する。ここでディスプレイドライバＤＤＩが主導して出力する同期信号をマスタ同期信号という。即ち、ディスプレイドライバＤＤＩがプロセッサＨＯＳＴに対してマスタ同期信号（ＴＥ）を出力し、タッチドライバＴＰＩＣに対してタッチ同期信号（ＴＳＶＤ）を出力する。また、タッチドライバＴＰＩＣがプロセッサＨＯＳＴに対してタッチ情報を出力する。これにより、３装置間での同期した動作を実現する。
【００６１】
ここで、ディスプレイドライバＤＤＩがプロセッサＨＯＳＴに対して出力するマスタ同期信号（ＴＥ）は、ティアリング効果（Tearing Effect）制御信号として既に使用されている信号である。ティアリング現象は、現在フレームの画像データを表示する途中に次フレームの画像データが入力されることによって発生する、一画面に２種類以上の画像データが表示される現象である。第１の実施の形態では、この制御信号ＴＥをマスタ同期信号ＴＥとしても使用する。但し、マスタ同期信号は、この制御信号ＴＥに限定されず、適宜のタイミングで発生する信号を新たにマスタ同期信号として設けても良い。
【００６２】
また、ディスプレイドライバＤＤＩがタッチドライバＴＰＩＣに対して出力するタッチ同期信号（ＴＳＶＤ）は、図６において説明したフレームの開始を表す垂直同期信号ＴＳＶＤである。タッチドライバＴＰＩＣは、プロセッサＨＯＳＴに対してタッチ情報としてタッチ座標あるいは検知したローデータ（Raw Data）を出力する。
【００６３】
図８は、第１の実施の形態のタッチ検出機能付き表示装置ＤＳＰとプロセッサＨＯＳＴとの間の主たる信号授受フローを示すタイムチャートである。
【００６４】
時刻ｔ１において、ディスプレイドライバＤＤＩは、マスタ同期信号ＴＥをプロセッサＨＯＳＴに対して出力する。マスタ同期信号ＴＥを受信したプロセッサＨＯＳＴは、既に処理が終わっている第１フレーム（１ｓｔ）の映像信号をディスプレイドライバＤＤＩに対して出力する。図示していないが、ディスプレイドライバＤＤＩは送られた第１フレーム（１ｓｔ）の映像信号を画素電圧に変換した表示信号をパネルＰＮＬの表示素子に対して出力する。
【００６５】
一方、タッチドライバＴＰＩＣは、時刻ｔ１よりも前の時点において、ディスプレイドライバＤＤＩよりタッチ同期信号ＴＳＶＤを受信すると、第２フレーム（２ｎｄ）に対応するタッチ駆動を実行し、検知電極ＤＥＴＥからタッチ情報を取得する。タッチドライバＴＰＩＣは、第２フレームに対応するタッチ情報の取得を終了したときは、プロセッサＨＯＳＴに割込要求ＩＲＱ（Interrupt Request）を行ってタッチ情報を送信する。
【００６６】
プロセッサＨＯＳＴは、受信したタッチ情報から取得したタッチ位置に応じた、第２フレームに対応する処理（２ｎｄプロセス）を実行する。この処理結果で生成された第２フレーム（２ｎｄ）の映像信号は、時刻ｔ２においてディスプレイドライバＤＤＩからマスタ同期信号ＴＥが入力されたときに、プロセッサＨＯＳＴからディスプレイドライバＤＤＩに対して出力される。ディスプレイドライバＤＤＩは、プロセッサＨＯＳＴからの映像信号の受信から所定時間経過後にタッチドライバＴＰＩＣにタッチ同期信号ＴＳＶＤを出力する。以降、上述と同様の動作が繰り返して実行される。
【００６７】
なお、プロセッサＨＯＳＴにおいては、第１フレーム（１ｓｔ）の映像信号を出力する動作と、第２フレームに対応する処理（２ｎｄプロセス）を実行する動作とが平行して実行される。また、ディスプレイドライバＤＤＩがマスタ同期信号ＴＥを出力するタイミング、タッチドライバＴＰＩＣが割込要求ＩＲＱを出力するタイミングは、図８に示すシーケンスが実現できるように設計時点において予め設定されている。  
なお、図６に示すＨＯＳＴからディスプレイドライバＤＤＩに送られるＶＤ（垂直同期信号）は、１フレームの映像信号を出力する際の同期信号である。このＶＤは、第１の実施の形態では３つの装置間での同期動作には使用されないが、後述する第２の実施の形態では、３つの装置間での同期動作に用いられる。
【００６８】
[第２の実施の形態]  
図９は、第２の実施の形態のタッチ検出機能付き表示装置ＤＳＰとプロセッサＨＯＳＴとの間の主たる授受信号を示す図である。第１の実施の形態と同一の部位には同一の符号を付してその詳細の説明は省略する。
【００６９】
第２の実施の形態では、プロセッサＨＯＳＴが主導して同期信号を出力する。即ち、プロセッサＨＯＳＴがディスプレイドライバＤＤＩに対して同期信号を出力する。ここで、プロセッサＨＯＳＴがディスプレイドライバＤＤＩに対して出力する同期信号は、１フレームの映像信号を出力する際の同期信号であるＶＤ（垂直）同期信号を用いる。ここでプロセッサＨＯＳＴが主導して出力する同期信号を表示同期信号ＶＤという。そして、ディスプレイドライバＤＤＩがタッチドライバＴＰＩＣに対してタッチ同期信号（ＴＳＶＤ）を出力する。また、タッチドライバＴＰＩＣがプロセッサＨＯＳＴに対してタッチ情報を出力する。これにより、３装置間での同期した動作を実現する。
【００７０】
図１０は、第２の実施の形態のタッチ検出機能付き表示装置ＤＳＰとプロセッサＨＯＳＴとの間の主たる信号授受フローを示すタイムチャートである。
【００７１】
時刻Ｔ１において、プロセッサＨＯＳＴは、表示同期信号ＶＤをディスプレイドライバＤＤＩに対して出力する。プロセッサＨＯＳＴは、表示同期信号ＶＤに続いて第１フレーム（１ｓｔ）の映像信号をディスプレイドライバＤＤＩに対して出力する。表示同期信号ＶＤを受信したディスプレイドライバＤＤＩは、続いて送られる第１フレーム（１ｓｔ）の映像信号を画素電圧に変換した表示信号をパネルＰＮＬの表示素子に出力する。
【００７２】
一方、タッチドライバＴＰＩＣは、時刻Ｔ１よりも前の時点において、ディスプレイドライバＤＤＩよりタッチ同期信号ＴＳＶＤを受信すると、第２フレームに対応するタッチ駆動（ＴＰ  ２ｎｄ）を実行し、検知電極ＤＥＴＥからタッチ情報を取得する。タッチドライバＴＰＩＣは、第２フレームに対応するタッチ情報の取得を終了したときは、プロセッサＨＯＳＴに割込要求ＩＲＱ（Interrupt Request）を行ってタッチ情報を送信する。
【００７３】
プロセッサＨＯＳＴは、受信したタッチ情報から取得したタッチ位置に応じた、第２フレームに対応する処理（２ｎｄプロセス）を実行する。この処理結果で生成された第２フレーム（２ｎｄ）の映像信号は、時刻Ｔ２において、プロセッサＨＯＳＴからディスプレイドライバＤＤＩに対して出力される。以降、上述と同様の動作が繰り返して実行される。
【００７４】
なお、プロセッサＨＯＳＴにおいては、第１フレーム（１ｓｔ）の映像信号をＰＮＬに出力する動作と、第２フレームに対応する処理（２ｎｄプロセス）を実行する動作とが平行して実行される。また、ディスプレイドライバＤＤＩが同期信号ＴＳＶＤを出力するタイミング、タッチドライバＴＰＩＣが割込要求ＩＲＱを出力するタイミングは、図１０に示すシーケンスが実現できるように設計時点において予め設定されている。
【００７５】
図１１は、第１及び第２の実施の形態のタッチ検出機能付き表示装置ＤＳＰとプロセッサＨＯＳＴとの間の同期駆動の効果を説明するための図である。図１１（１）は、従来の非同期での駆動時の遅延例を示す図である。図１１（２）は、本実施の形態の同期での駆動時の遅延例を示す図である。
【００７６】
図１１（１）では、タッチドライバＴＰＩＣ、プロセッサＨＯＳＴ、ディスプレイドライバＤＤＩがそれぞれ非同期で動作した場合の例を示している。ここで、タッチドライバＴＰＩＣ、プロセッサＨＯＳＴ、ディスプレイドライバＤＤＩは、いずれもフレームを単位とした動作を行っている。図では、タッチドライバＴＰＩＣが処理するフレームを１，２，３・・・に区分して、それぞれのフレームがプロセッサＨＯＳＴ、ディスプレイドライバＤＤＩで処理されるタイミングをフレーム単位で明示している。
【００７７】
タッチドライバＴＰＩＣは１フレームのタッチ情報を処理した後にプロセッサＨＯＳＴに対して出力することができる。しかしながら、プロセッサＨＯＳＴは、フレーム単位の処理の先頭でそのタッチ情報を受け入れるようになされている。即ち、フレーム単位の処理の途中ではタッチ情報を受け入れない。そのため、少しの遅れが発生した場合であってもプロセッサＨＯＳＴによって処理されるタイミングは大きく遅れることになる。図１１（１）に示す例では、プロセッサＨＯＳＴは、タッチドライバＴＰＩＣからの第１及び第２フレームの２フレーム分のタッチ情報を１フレーム内で処理している。具体的には、プロセッサＨＯＳＴは、第１及び第２フレームのタッチ情報に基づいてパネルＰＮＬに表示させる画像の生成などを実行する。
【００７８】
更に、プロセッサＨＯＳＴが処理した画像を映像信号として出力する場合、ディスプレイドライバＤＤＩは、フレーム単位の先頭でその映像信号を受け入れるようになされている。即ち、フレーム単位の処理の途中では映像信号を受け入れない。そのため、少しの遅れが発生した場合であってもディスプレイドライバＤＤＩによって処理されるタイミングは大きく遅れることになる。図１１（１）に示す例では、ディスプレイドライバＤＤＩは、タッチドライバＴＰＩＣからの第１及び第２フレームのタッチ情報を４フレーム目で処理している。
【００７９】
図１１（１）に示すように、従来の非同期で動作した場合では、実際にタッチ動作が行われてからその反応が視認されるまで４フレームの遅延が発生しえる。また反映されるタッチ動作の数がディスプレイドライバＤＤＩのフレーム、即ち視認されるフレームによって異なるケースが発生する。
【００８０】
図１１（２）では、実施の形態１及び２で説明したように、タッチドライバＴＰＩＣ、プロセッサＨＯＳＴ、ディスプレイドライバＤＤＩが同期して動作した場合の例を示している。タッチドライバＴＰＩＣからのタッチ情報は、プロセッサＨＯＳＴの次のフレームに反映され、ディスプレイドライバＤＤＩの更に次のフレームに反映される。従って、実際にタッチ動作が行われてからその反応が視認されるまで３フレームの遅延となるが、従来の駆動方法と比較すると速くかつムラ無くフレームに反映することができる。
【００８１】
なお、本発明は、実施の形態に記載のパネル構造に限定されない。  
実施の形態では、ＩＰＳ（Ｉｎ−Ｐｌａｎｅ  Ｓｗｉｔｃｈｉｎｇ）モード、ＦＦＳ（Ｆｒｉｎｇｅ−Ｆｉｅｌｄ  Ｓｗｉｔｃｈｉｎｇ）モードなどの横電界方式の液晶を使用したパネルを例としたが、この形態に限定されずＴＮ（Ｔｗｉｓｔｅｄ  Ｎｅｍａｔｉｃ）モード、ＯＣＢ（Ｏｐｔｉｃａｌｌｙ  Ｃｏｍｐｅｎｓａｔｅｄ  Ｂｅｎｄ）モードなどの縦電界方式の液晶を使用したパネルについても適用することができる。
【００８２】
また、実施の形態では、タッチ検出機能付き表示装置として、いわゆるインセルタイプの表示装置を例としたが、表示装置の表示面上にタッチパネルを形成した、いわゆるオンセルタイプの表示装置についても適用することができる。
【００８３】
本発明の実施の形態として上述した表示装置を基にして、当業者が適宜設計変更して実施し得る全ての表示装置も、本発明の要旨を包含する限り、本発明の範囲に属する。
【００８４】
本発明の思想の範疇において、当業者であれば、各種の変更例及び修正例に想到し得るものであり、それら変更例及び修正例についても本発明の範囲に属するものと了解される。例えば、上述の各実施形態に対して、当業者が適宜、構成要素の追加、削除もしくは設計変更を行ったもの、又は、工程の追加、省略若しくは条件変更を行ったものも、本発明の要旨を備えている限り、本発明の範囲に含まれる。
【００８５】
また、本実施形態において述べた態様によりもたらされる他の作用効果について本明細書記載から明らかなもの、又は当業者において適宜想到し得るものについては、当然に本発明によりもたらされるものと解される。
【００８６】
上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００８７】
なお、本願の発明は次のように表すことができる。  
（１）  開示される発明の一態様は、一方向に延在するように並設された複数の駆動電極と、  
前記駆動電極の延在方向と直交する方向に延在し、その交差部分に静電容量を形成するように配置された検知電極と、  
前記駆動電極に対して外部近接物体を検知するためのタッチ駆動信号を順次印加するタッチ走査駆動と、外部から入力される映像信号から表示素子に表示させるための表示信号を生成して順次出力する表示走査駆動とを実行するディスプレイドライバと、  
前記検知電極の検出信号をサンプリングすることにより外部近接物体の検知情報を含むタッチ情報を取得するタッチドライバと、を有し、  
前記ディスプレイドライバは、外部に出力したマスタ同期信号（ＴＥ）に応じて入力される前記映像信号を取得し、前記映像信号の入力から所定時間経過後に前記タッチドライバに対してタッチ同期信号（ＴＳＶＤ）を出力し、  
前記タッチドライバは、前記ディスプレイドライバからのタッチ同期信号（ＴＳＶＤ）によって動作を開始して前記タッチ情報を取得し、前記映像信号の生成を開始させるために前記タッチ情報を外部に出力する駆動装置である。
【００８８】
（２）  開示される発明の一態様は、一方向に延在するように並設された複数の駆動電極と、  
前記駆動電極の延在方向と直交する方向に延在し、その交差部分に静電容量を形成するように配置された検知電極と、  
前記駆動電極に対して外部近接物体を検知するためのタッチ駆動信号を順次印加するタッチ走査駆動と、外部から入力される映像信号から表示素子に表示させるための表示信号を生成して順次出力する表示走査駆動とを実行するディスプレイドライバと、  
前記検知電極の検出信号をサンプリングすることにより外部近接物体の検知情報を含むタッチ情報を取得するタッチドライバと、を有し、  
前記ディスプレイドライバは、外部から表示同期信号（ＶＤ）が入力される際、前記映像信号から表示信号を生成して表示素子に出力し、前記表示同期信号（ＶＤ）の入力から所定時間経過後に前記タッチドライバに対してタッチ同期信号（ＴＳＶＤ）を出力し、  
前記タッチドライバは、前記ディスプレイドライバからのタッチ同期信号（ＴＳＶＤ）によって動作を開始して前記タッチ情報を取得し、前記映像信号の生成を開始させるために前記タッチ情報を外部に出力する駆動装置である。
【００８９】
（３）  開示される発明の一態様は、前記ディスプレイドライバは、前記外部近接物体を検知するためのパルス波形を有するタッチ駆動信号（ＴＳＶＣＯＭ）を印加することによりタッチ走査駆動を行い、  
前記タッチドライバは、前記タッチ同期信号（ＴＳＶＤ）を含む信号を授受して、前記タッチ駆動信号（ＴＳＶＣＯＭ）を形成するための駆動同期信号（ＥＸＶＣＯＭ）を前記ディスプレイドライバに出力し、前記検知電極の検出信号を前記タッチ駆動信号（ＴＳＶＣＯＭ）のパルス波形に対応したタイミングでサンプリングすることにより外部近接物体を検知する  （１）又は（２）に記載の駆動装置である。
【００９０】
（４）  開示される発明の一態様は、（１）乃至（３）の内のいずれか１に記載の駆動装置と、  
前記表示信号に基づいて表示を行う表示画素と、を有し、  
前記ディスプレイドライバは、複数の前記表示画素に対して前記表示信号を順次印加する前記表示走査駆動と前記タッチ走査駆動とを時分割的に交互に繰り返して実行する、タッチ検出機能付き表示装置である。
【００９１】
（５）  開示される発明の一態様は、（１）に記載の駆動装置と、  
情報を処理するプロセッサと、を有し、  
前記プロセッサは、前記タッチドライバから入力した前記タッチ情報に基づいて前記映像信号を作成し、前記ディスプレイドライバから入力したマスタ同期信号（ＴＥ）に対応して作成済みの前記映像信号を前記ディスプレイドライバに出力する情報処理装置である。
【００９２】
（６）  開示される発明の一態様は、（２）に記載の駆動装置と、  
情報を処理するプロセッサと、を有し、  
前記プロセッサは、前記タッチドライバから入力した前記タッチ情報に基づいて前記映像信号を作成し、この映像信号作成後、作成済みの前記映像信号と表示同期信号（ＶＤ）とを前記ディスプレイドライバに出力する情報処理装置である。
【符号の説明】
【００９３】
ＤＳＰ…タッチ検出機能付き表示装置、ＰＮＬ…表示パネル、ＰＸ…表示画素、ＣＯＭＥ…共通電極、Ｖｃｏｍ…共通電圧、ＴＳＶＣＯＭ…駆動パルス、ＴＰＩＣ…タッチドライバ、ＤＤＩ…ディスプレイドライバ、ＤＥＴＥ…検知電極、ＨＯＳＴ…プロセッサ、ＴＥ…マスタ同期信号、ＶＤ…表示同期信号、ＴＳＶＤ…タッチ同期信号
【図１】
2016004476.tif 000003
【図２】
2016004476.tif 000004
【図３】
2016004476.tif 000005
【図４】
2016004476.tif 000006
【図５】
2016004476.tif 000007
【図６】
2016004476.tif 000008
【図７】
2016004476.tif 000009
【図８】
2016004476.tif 000010
【図９】
2016004476.tif 000011
【図１０】
2016004476.tif 000012
【図１１】
2016004476.tif 000013